(57)【特許請求の範囲】
【請求項１】
建物の１階床下空間部に樹脂管からなる主管が延ばされ、この主管の先端側の所定長さ範囲が床下空間部において傾斜状態に保持され、この傾斜部に沿って同じく樹脂管からなる複数の枝管が分岐され、枝管は床上に延ばされ、前記傾斜部の傾斜方向の下側に水抜き部が備えられ、かつ、水抜き部で抜かれた水を受け入れる受けが備えられていることを特徴とする建物における給水用樹脂管の配管構造。
【請求項２】
前記傾斜部が、床下ベース面に設置されたベース断熱材に沿わされて傾斜状態に固定されている請求項１に記載の建物における給水用樹脂管の配管構造。
【請求項３】
前記傾斜部がその上方より断熱材でカバーされている請求項２に記載の建物における給水用樹脂管の配管構造。
【請求項４】
建物の床下に設置される給水配管用ユニットであって、
樹脂管からなる主管を接続して主管先端部を形成する所定長さの同じく樹脂管からなる主管先端管部が備えられ、
この主管先端管部は、傾斜状態に保持され、
この主管先端管部に対して、同じく樹脂管からなる複数の枝管を接続できるようになっていることを特徴とする給水配管ユニット。
【請求項５】
前記主管先端管部の傾斜方向の下側に水抜き部が備えられている請求項４に記載の給水配管ユニット。
【発明の詳細な説明】
【０００１】
【発明の属する技術分野】
本発明は、建物における給水用樹脂管の配管構造及び給水配管ユニットに関する。
【０００２】
【従来の技術及び課題】
給水・給湯用の配管として、これまでの金属管に替え、施工の容易な樹脂管が用いられる傾向にある。ところが、北海道などの寒冷地では、冬期などにおいて管内の水が凍結することから、水抜きを行う必要があるが、樹脂管を用いたこれまでの配管系統では、水を抜けない、あるいは、抜きにくいという問題があった。
【０００３】
本発明は、このような背景において、樹脂管を用いた配管構造において、凍結予防のための水抜きを確実に行うことができる給水用樹脂管の配管構造を提供することを課題とする。
【０００４】
【課題を解決するための手段】
上記の課題は、建物の１階床下空間部に樹脂管からなる主管が延ばされ、この主管の先端側の所定長さ範囲が床下空間部において傾斜状態に保持され、この傾斜部に沿って同じく樹脂管からなる複数の枝管が分岐され、枝管は床上に延ばされ、前記傾斜部の傾斜方向の下側に水抜き部が備えられ、かつ、水抜き部で抜かれた水を受け入れる受けが備えられていることを特徴とする建物における給水用樹脂管の配管構造によって解決される。なお、「給水」の語は、給水と給湯のいずれか一方又は両方を含む意味において用いていることはいうまでもない。
【０００５】
この配管構造では、水抜き部を開くと、主管の先端側の傾斜部内の水が、その傾斜の作用で水抜き部の側へと流れていき、それによって床上の枝管内の水と主管傾斜部内の水が水抜き部を通じて受けに送り込まれ、管内の水を確実に抜くことができる。従って、樹脂管を用いた床下分岐型の配管構造でありながら、管内からきれいに水を抜いて、凍結を予防することができる。
【０００６】
上記の主管先端の傾斜部が、床下ベース面に設置されたベース断熱材に沿わされて傾斜状態に固定されている場合は、傾斜部を安定良く傾斜状態に保つことができ、しかも、樹脂管が床下ベース面の側から冷やされるのを防ぐことができる。
【０００７】
この傾斜部がその上方より断熱材でカバーされている場合は、傾斜部をより一層安定良く傾斜状態に保つことができると共に、床下空間部内の冷気で樹脂管の傾斜部が冷やされるのを防ぐことができる。
【０００８】
また、建物の床下に設置される給水配管用ユニットであって、
樹脂管からなる主管を接続して主管先端部を形成する所定長さの同じく樹脂管からなる主管先端管部が備えられ、
この主管先端管部は、傾斜状態に保持され、
この主管先端管部に対して、同じく樹脂管からなる複数の枝管を接続できるようになっていることを特徴とする給水配管ユニット、並びに、
このユニットにおいて、前記主管先端管部の傾斜方向の下側に水抜き部が備えられている給水配管ユニット
を用いて施工を行うことにより、現場での施工を能率良く行うことができる。
【０００９】
【発明の実施の形態】
次に、本発明の実施形態を図面に基づいて説明する。
【００１０】
図１には、住宅等の建物の床下空間部１に設置した、樹脂管からなる給水・給湯用の主管２，３と、同じく樹脂管からなる枝管４…，５…との分岐部分の構造を示している。樹脂管には、例えば、ボリブテン管や架橋ポリエチレン管などが用いられる。
【００１１】
６は、コンクリート土間などによる床下のベース面であり、この土間６上に、上面一方向勾配付きのベース断熱材７が設置され、この断熱材７の上面に、主管２，３の先端側の所定長さ範囲２ａ，３ａが、断熱材７の傾斜に沿うように、先端側を斜め上方に向けるように傾斜状態にされて支えられ、固定されている。断熱材７に支えられて固定されている各主管２，３の傾斜部２ａ，３ａの長さ寸法は、例えば２ｍであり、緩やかな傾斜角度で一方向に傾斜するようになされている。このように、主管２，３の傾斜部２ａ，３ａを下から断熱材で傾斜状態に支えて固定しユニット化した構造とすることにより、傾斜部２ａ，３ａを安定良く傾斜状態に保つことができ、しかも、主管傾斜部２ａ，３ａが土間６の側から冷やされるのを防ぐことができる。
【００１２】
この傾斜部２ａ，３ａにおいて、分岐用の継ぎ手８…が、傾斜部２ａ，３ａの長さ方向に沿って所定間隔おきに介設され、各分岐継ぎ手８…に枝管４…，５…が接続され、各枝管４…，５…は、床上の各所、例えば、浴槽や洗面、洗濯機、流し、階上、階下のトイレなどへと延ばされている。１２は床面ラインである。
【００１３】
そして、主管２，３には、先端傾斜部２ａ，３ａの下流基端側において、水抜き部としての水抜き弁９，９が介設され、土間６には、抜かれた水を受け入れる受けとしての浸透枡１０が設けられている。水抜き弁９，９は、洗面室などの屋内の床下に設置されており、床をとることで、配管の分岐部分や水抜き弁等にアクセスすることができるようになっている。
【００１４】
上記の配管構造では、図２（イ）に示すように、水抜き弁を閉じた状態にすることで、床上の各所で水や湯を利用することができ、一方、冬期など、管内の水が凍結するおそれのあるときは、図２（ロ）に示すように、主管２，３の図示しない元栓を閉じ、水抜き弁９，９を開くと共に、各所に延ばされた枝管４…，５…の水栓を開くことで、主管２，３の先端傾斜部２ａ，３ａ内の水が、その傾斜の作用で水抜き弁９，９の側へと流れていき、それによって床上に延ばされた枝管４…，５…内の水と主管２，３の傾斜部２ａ，３ａ内の水も水抜き弁９，９を通じて浸透枡１０の中へと排出され、管内の水がきれいに抜かれる。こうして、樹脂管を用いた床下分岐型の配管構造でありながら、樹脂管内からきれいに水を抜けて、冬期などにおける管内の水の凍結を予防できる。
【００１５】
なお、水抜き部９，９を挟んで主管傾斜部２ａ，３ａとは反対側、即ち一次側の主管部分２ｂ，３ｂについても、この水抜き部９，９に向けて下方に傾斜するように配管しておくことで、主管２，３の一次側の水もこの水抜き部９，９を開くことで抜くことができる。
【００１６】
図３に示す実施形態では、主管２，３の先端傾斜部２ａ，３ａが、上方より、断熱材からなる断熱蓋１１でカバーされている。この断熱蓋１１により、主管２，３の先端傾斜部２ａ，３ａをより一層安定良く傾斜状態に保つことができると共に、床下空間部１内の冷気で主管傾斜部２ａ，３ａが冷やされるのを防ぐことができる。その他は、図１に示す実施形態と同様である。
【００１７】
以上に、本発明の実施形態を示したが、本発明はこれに限られるものではなく、発明思想を逸脱しない範囲で各種の変更が可能である。例えば、上記の各実施形態において、主管傾斜部２ａを、主管２を接続して主管先端部を形成する所定長さの同じく樹脂管からなる傾斜させた主管先端管部とし、この主管先端管部に主管を接続できるようにし、この主管先端管部に上記のような枝管接続用の継ぎ手８…などの枝管接続部を設けて枝管４を接続できるようにした給水配管ユニットに構成されているのもよい。このようにユニット品を用いるこで、主管先端管部を床下において容易に傾斜状態に設置することができ、現場での施工の省力化を図ることができる。なお、このようなユニット品において、主管先端管部は、ベース用断熱材７によって傾斜状態に保持する構成にしてベース用断熱材７もユニット構成品に含ませるようにしてよいし、また、主管先端管部の傾斜方向の下側に水抜き部９を備えさせてこの水抜き部９もユニット構成品に含ませるようにしてよい。
【００１８】
【発明の効果】
本発明は、以上のとおりのものであるから、樹脂管を用いた床下分岐型の給水配管構造において、凍結予防のための水抜きを確実に行うことができる。
【図面の簡単な説明】
【図１】図（イ）は実施形態の配管構造を示す断面側面図、図（ロ）は同斜視図である。
【図２】図（イ）は給水時の水の流れ状態を示す斜視図、図（ロ）は水抜き時の水の流れ状態を示す斜視図である。
【図３】図（イ）は他の実施形態の配管構造を示す断面側面図、図（ロ）は同斜視図である。
【符号の説明】
１…床下空間部
２，３…主管
２ａ，３ａ…傾斜部
４，５…枝管
６…コンクリート土間（床下ベース面）
７…ベース断熱材
９…水抜き弁（水抜き部）
１０…浸透升（受け）
１１…断熱蓋（カバー断熱材）
【図１】
0004559609.tif 000002
【図２】
0004559609.tif 000003
【図３】
0004559609.tif 000004